(57)【特許請求の範囲】
【請求項１】
管が挿入される受口の内面に突出して該管を係止する弾性変形可能な係止爪を有する管接続用受口であって、
前記受口は、複数の管径に対応する内径を備えてなり、
前記係止爪は、受口周面に対して内方かつ管挿入方向に向けて傾斜して形成され、
前記受口奥側には、接続される管が当接して前記係止爪の押圧方向によせるべく傾斜する傾斜面部が形成されてなることを特徴とする管接続用受口。
【請求項２】
前記係止爪の外方側には、係止爪を拡径方向にしならせ管の係止状態を解除すべく工具が係合される操作部が形成されてなることを特徴とする請求項１記載の管接続用受口。
【請求項３】
前記操作部は鈎状に形成されてなることを特徴とする請求項１又は請求項２に記載の管接続用受口。
【請求項４】
前記受口には、係止爪を工具によって拡径方向にしならせる際に支点となる当接部が形成されてなることを特徴とする請求項１乃至請求項３記載の管接続用受口。
【請求項５】
前記当接部は、受口の側方に形成されてなることを特徴とする請求項４記載の管接続用受口。
【発明の詳細な説明】
【０００１】
【発明の属する技術分野】
本発明は、コネクタ，カップリング等の管接続具、又はボックス，エンドカバー等に形成される管接続用の受口に関するものである。
【０００２】
【従来の技術】
従来、管接続用受口として、図７に示すように、管が挿入される筒状の受口７の周囲にコ字状にスリット７１を形成して弾性を有する弾性片を形成し、その弾性片の内面に管を接続するための爪を形成した係止爪７２を一体に備えたものが知られている。
この管接続用受口は、受口７内に管を挿入することにより、係止爪７２が外方に拡開して管の山部を乗り越え、該山部を乗り越えると係止爪７２が弾性復帰して管の谷部に係合して管を抜け止め状態に接続することができ、容易に管の接続作業ができるようになっている。
【０００３】
【発明が解決しようとする課題】
しかしながら、上記従来の管接続用受口にあっては、複数の管径に対応できなかった。また、管を挿入するだけで容易に管を接続できるものの、一度受口に係止された管は容易に取り外すことができず、取り外し作業に時間がかかり、時には受口を破壊して取り外さなければならないという問題が生じていた。
【０００４】
本発明は、このような事情に鑑みてなされたものであり、一種類の受口で複数の管径に対応できる管接続用受口を提供することを課題としている。さらには、受口に誤って管を接続しても、容易に取り外すことができる管接続用受口を提供することを課題としている。
【０００５】
【課題を解決するための手段】
上記課題を解決するために請求項１にかかる発明は、
「管が挿入される受口の内面に突出して該管を係止する弾性変形可能な係止爪を有する管接続用受口であって、
前記係止爪は、受口周面に対して内方に向けて傾斜して形成され、
受口奥側には、接続される管が当接して前記係止爪の押圧方向によせるべく傾斜する傾斜面部が形成されてなることを特徴とする管接続用受口」
をその内容としている。
【０００６】
また、請求項２にかかる発明は、
「前記係止爪の外方側には、係止爪を拡径方向にしならせ管の係止状態を解除すべく工具が係合される操作部が形成されてなることを特徴とする請求項１記載の管接続用受口」
をその内容としている。
従って、受口に誤って管を接続しても、操作部に工具を係合して係止爪を拡径方向にしならせることにより、管の係止状態を解除することができ、その状態で管を取り外すことができる。
【０００７】
また、請求項３にかかる発明は、
「前記操作部は鈎状に形成されてなることを特徴とする請求項１又は請求項２に記載の管接続用受口」
をその内容としている。
従って、受口に誤って管を接続しても、操作部に工具を係合して係止爪を拡径方向にしならせることにより、管の係止状態を解除することができ、その状態で管を取り外すことができる。
また、操作部は鈎状に形成されているため、例えばマイナスドライバーの先端を操作部の屈曲部下面に係合して係止爪を容易に拡径方向にしならせることができる。
【０００８】
また、請求項４にかかる発明は、
「前記受口には、係止爪を工具によって拡径方向にしならせる際に支点となる当接部が形成されてなることを特徴とする請求項１乃至請求項３記載の管接続用受口」
をその内容としている。
従って、操作部に工具を係合しその工具を当接部に当接させて、係止爪を拡径方向にしならせることができるようになっており、管の解除作業を極めて容易に行えるようになっている。
【０００９】
また、請求項５にかかる発明は、
「前記当接部は、受口の側方に形成されてなることを特徴とする請求項４記載の管接続用受口」
をその内容としている。
従って、操作部に工具を係合しその工具を当接部に当接させて、係止爪を拡径方向にしならせることができるようになっており、管の解除作業を極めて容易に行えるようになっている。
また、当接部が受口の側方に形成されているため、接続された管が解除作業の邪魔にならない。
【００１０】
【発明の実施の形態】
以下、本発明に係る管接続用受口の実施例を図面に基づいて説明する。
図１に示されるように、この受口１は合成樹脂により、管が挿入される開口１１を有する略筒状に形成されている。このような受口１は、管とボックスとを接続するコネクタや、管と管とを接続するカップリング等の管接続具、スイッチ，コンセント等の器具の取り付け、湯，水，ガス等の流体管に接続される継手の収納等に使用されるボックス等に形成されたものである。
【００１１】
この受口１の周面には、一端が一体成形されておりその一端を支点として受口１の径方向に弾性変形可能な係止爪１２が形成されている。この係止爪１２の自由端内方には、受口１内に突出して挿入される管に係合する爪部１３を有している。爪部１３は波付管の場合にはその谷部に係合し、平滑管の場合にはその外周面に食い込むことによって管に係合する構造を備えたものであり、開口１１からの管の挿入を容易にするため、その挿入側端面を傾斜面によって構成してある。また、係止爪１２の自由端外方には工具等が係合される鈎状の操作部１４が形成されており、操作部１４に工具を係合して係止爪１２を拡径方向にしならせることができるようになっている。
【００１２】
また、受口１の側方には、係止爪１２を工具によって拡径方向にしならせる際に支点となる当接部１５が形成されている。従って、図６に示すように操作部１４の屈曲部下面に工具２を係合しその工具２を当接部１５に当接させた状態で、工具２をてことして操作することにより、係止爪１２を拡径方向にしならせることができるようになっており、管の解除作業を極めて容易に行えるようになっている。また、当接部１５は受口１の側方に形成されているため、接続された管が邪魔になることなく解除作業を行うことができるようになっている。尚、実施例においては、当接部１５は受口１の側方に形成されているが、本発明にあっては、係止爪１２の周辺であればどこにあってもよい。
【００１３】
この実施例に示す係止爪１２は、受口１の周面に対して内方に向けて傾斜して形成されており、複数の管径に対応するようになっている。即ち、図２に示すように、管Ｐを挿入することによって、管の谷部に爪部１３が係合して管Ｐを接続することができ、図３に示すように、図２の管Ｐよりも大径の管Ｐ’を接続する場合、管Ｐ’を挿入することによって、係止爪１２が図２の場合に比べ大きく拡開方向にたわみ爪部１３が管の谷部に係合して管Ｐ’を接続することができる。このように、係止爪１２を受口１の周面に対して内方に向けて傾斜して設けた場合は、受口１に挿入可能な大径の管Ｐ’から爪部１３が管の谷部に係合できる小径の管Ｐまで接続を可能とすることができる。従って、従来の管接続用受口の場合、接続する管の径によってそれぞれの管径に対応した受口を用意する必要があったが、上記構成にすることにより一種類の受口で複数の管径に対応することができ、複数種類の受口を用意する必要がない。
【００１４】
さらに、受口１の奥側には管Ｐに当接して管Ｐの挿入を制限する当接壁１６が形成されており、これ以上管Ｐが挿入できないようになっている。また、受口１の奥側（実施例においては当接壁の上部）には、接続される管を係止爪の押圧方向によせるべく傾斜する傾斜面部１７が形成されている。この傾斜面部１７は図２及び図３に示すように、管Ｐを接続することにより、管Ｐが傾斜面部１７に当接して管Ｐを係止爪１２の押圧方向（実施例においては下方）に押しよせるように作用する。従って、複数径の管を接続しても管Ｐを下方によせて管Ｐと受口奥側開口とを連通することができるようになっている。また、係止爪１２と傾斜面部１７とで管Ｐを下方によせることにより、管Ｐを受口１内周面に確実に当接させることができ、管Ｐがこじれることなく安定した接続ができるようになっている。尚、傾斜面部１７は管が当接して傾斜面によって該管に対する係止爪１２の押圧方向に押しよせるように形成されていれば複数箇所に形成されていてもよい。
【００１５】
さて、このような受口１を使用する場合にあっては、図４に示すように、管Ｐを受口１の開口１１より強制的に挿入することにより、係止爪１２を拡径方向へしならせながら受口１内部へと挿入して、管Ｐを爪部１３によって抜け止め状態に係止することができる。そして管Ｐを取り外したい場合には、図５に示すように、操作部１４の屈曲部下面にマイナスドライバー２の先端を係合して引き上げることによって、操作部１４に連設した係止爪１２を拡径方向にしならせ、これによって管Ｐと爪部１３の係合を解除し、受口１からの管Ｐを取り外すことができるようになっている。尚、係止爪１２を拡径方向にしならせるには、図６に示すように受口１側方の当接部１５を支点として係止爪１２を引き上げると容易に行うことができる。
【００１６】
尚、実施例においては、複数の管径に対応するよう構成されているが、本発明にあっては、複数の管径に対応できなくてもよく、係止爪１２に操作部１４が形成されていればよい。また、実施例においては、操作部１４は鈎状に形成されているが、本発明にあっては、工具を係合することができればその他の形状であってものよい。さらに、実施例においては、工具としてマイナスドライバーを使用しているが、本発明にあっては、操作部に係合できればその他の工具であってものよく、専用の工具を使用してもよい。また、実施例において、操作部１４は係止爪１２の外方端部に形成されているが、本発明においては、操作部１４に工具を係合して係止爪１２を拡径方向にしならせることができれば、係止爪１２の外方側のどこに形成されていてもよい。また、実施例において、係止爪１２は一箇所に設けられているが、本発明にあっては、複数箇所に設けられていてもよい。
【００１７】
【発明の効果】
以上説明したように、本発明によれば、一種類の受口で複数の管径に対応できる。また、操作部に工具を係合して係止爪を引き上げることにより、受口に誤って接続された管の取り外しを容易に行うことができる。また、極めて簡単な構造であるため、合成樹脂による一体成形により簡単に製造でき製造コストを下げることができる。
【図面の簡単な説明】
【図１】本発明に係る管接続用受口の一実施例を示す斜視図である。
【図２】図１に示す管接続用受口に管を係止した状態を示す断面図である。
【図３】図１に示す管接続用受口に管を係止した状態を示す断面図である。
【図４】図１に示す管接続用受口に管を接続する状態を示す断面図である。
【図５】図１に示す管接続用受口に接続された管の係止を解除する状態を示す断面図である。
【図６】図１に示す管接続用受口に接続された管の係止を解除する状態を示す図である。
【図７】従来の管接続用受口を示す斜視図である。
【符号の説明】
１  管接続用受口
２  工具
１１  開口
１２  係止爪
１３  爪部
１４  操作部
１５  当接部
１６  当接壁
１７  傾斜面部
Ｐ，Ｐ’  管
【図１】
0003819326.tif 000002
【図２】
0003819326.tif 000003
【図３】
0003819326.tif 000004
【図４】
0003819326.tif 000005
【図５】
0003819326.tif 000006
【図６】
0003819326.tif 000007
【図７】
0003819326.tif 000008